(57)【要約】      （修正有）【課題】タグユニット側の回路構成を複雑化させることなく、タグの電池切れをお知らせ可能であり、タグユニットの電池の消耗を低減させることが可能な物品探索システムを提供する。【解決手段】物品探索システムは、携帯端末との間で無線通信可能であり、探索すべき物品内又は物品近傍に配置されるタグユニットを含み、前記携帯端末は前記タグユニットに対応する物品を登録する登録手段と、登録した物品を表示する表示手段と、表示した物品のうち選択された物品に対応する前記タグユニットとの間で通信を確立し、前記タグユニットに報知信号を発信する発信手段と、電池切れお知らせ手段とを備えている。前記タグユニットは、報知信号を受け取った際に報知音を発生する報知音発生手段を備え、前記携帯端末の電池切れお知らせ手段は、報知音の発生回数に応じて定まる期間が所定時期から経過した際に、前記タグユニットに関する電池切れの通知を行う。【選択図】なし【特許請求の範囲】
【請求項１】
携帯端末と、該携帯端末との間で無線通信可能であり、探索すべき少なくとも１つの物品内又は該少なくとも１つの物品近傍にそれぞれ配置される少なくとも１つのタグユニットとを含む物品探索システムであって、
前記携帯端末は、前記少なくとも１つのタグユニットに対応する前記少なくとも１つの物品を登録する登録手段と、登録した前記少なくとも１つの物品を表示する表示手段と、表示した前記少なくとも１つの物品のうち選択された物品に対応するタグユニットとの間で通信を確立し、該対応するタグユニットに報知信号を発信する発信手段と、電池切れお知らせ手段とを備えており、
前記少なくとも１つの物品のうち選択された物品に対応する前記タグユニットは、前記報知信号を受け取った際に報知音を発生する報知音発生手段を備えており、
前記携帯端末の前記電池切れお知らせ手段は、登録した前記少なくとも１つの物品に対応する前記少なくとも１つのタグユニットに関して、前記報知音の発生回数に応じて定まる期間が、前記登録手段によって登録した時期から経過した際に、前記少なくとも１つのタグユニットに関する電池切れの通知を行うように構成されていることを特徴とする物品探索システム。
【請求項２】
前記電池切れお知らせ手段は、登録した前記少なくとも１つの物品に対応する前記少なくとも１つのタグユニットに関して、前記登録手段によって登録した時期からの経過時間が、所定期間を少なくとも前記報知音の発生回数で補正した閾値以上となった際に、前記少なくとも１つのタグユニットに関する電池切れの通知を行うように構成されていることを特徴とする請求項１に記載の物品探索システム。
【請求項３】
前記電池切れお知らせ手段は、登録した前記少なくとも１つの物品に対応する前記少なくとも１つのタグユニットに関して、前記登録手段によって登録した時期からの経過時間について所定期間を少なくとも前記報知音の発生回数で補正した経過時間が、所定の閾値以上となった際に、前記少なくとも１つのタグユニットに関する電池切れの通知を行うように構成されていることを特徴とする請求項１に記載の物品探索システム。
【請求項４】
前記電池切れお知らせ手段は、前記報知音の発生回数に応じて定まる期間が前記登録手段によって登録した時期から経過した際に、当該少なくとも１つのタグユニットに対応する前記少なくとも１つの物品の表示を変更する手段であることを特徴とする請求項１から３のいずれか１項に記載の物品探索システム。
【請求項５】
前記携帯端末と、前記少なくとも１つのタグユニットとは、Ｂｌｕｅｔｏｏｔｈ（登録商標）  Ｌｏｗ  Ｅｎｅｒｇｙ規格によって通信を確立するように構成されていることを特徴とする請求項１から４のいずれか１項に記載の物品探索システム。
【請求項６】
前記携帯端末は、前記報知信号としてＢｌｕｅｔｏｏｔｈ（登録商標）  Ｌｏｗ  Ｅｎｅｒｇｙ規格の標準サービスである所定のコマンドを前記少なくとも１つのタグユニットに送信し、該所定のコマンドを受信した前記少なくとも１つのタグユニットは前記報知音発生手段に所定信号を出力するように構成されていることを特徴とする請求項５に記載の物品探索システム。
【請求項７】
前記タグユニットが前記少なくとも１つの物品とは独立したハウジング内に設けられており、該ハウジングが前記少なくとも１つの物品に取り付けられていることを特徴とする請求項１から６のいずれか１項に記載の物品探索システム。
【請求項８】
前記タグユニットが前記少なくとも１つの物品の内部に設けられていることを特徴とする請求項１から６のいずれか１項に記載の物品探索システム。
【発明の詳細な説明】
【技術分野】
【０００１】
本発明は、物品がどこにあるかを探すための物品探索システムに係り、特に複数の物品について選択的に探索可能な物品探索システムに関する。
【背景技術】
【０００２】
特許文献１には、置き忘れた鍵や書類等の多数の物品の中から特定のものを探索する物品探索装置が記載されている。この物品探索装置においては、物品にタグが取り付けられ、このタグにはＬＥＤ（発光ダイオード）、ランプ等の発光素子及び／又はブザー等の発音素子、及び電池等が取り付けられる。タグの内部には、外部信号に応じて発光素子、発音素子等を動作せしめるための受信装置が含まれ、アンテナによって受信された信号は受信回路により適宜選択、増幅され、復調回路により復号される。この復号信号は物品の所有者を識別するコ−ド信号であり、識別回路はこの識別信号を記憶装置が記憶する所有者情報と照合し、両者が一致する場合には発光素子及び／又は発音素子を駆動する。これにより、見失った物品を発見する。
【０００３】
特許文献２には、目的の物体を見付けるための物体の存在位置探索システムが記載されている。この存在位置探索システムは、１台の特定小電力無線の携帯無線機と、１２個の通信タグで構成されている。携帯無線機には、物体と対応させた各通信タグの認識番号と物体名、キーワードが登録されている。通信タグは、ダンボール箱や衣装缶の中若しくは引き出しやバッグの中に入れるか、鍵のキーホルダーやメガネ入れ等の各種物体に取り付ける。通信タグは、特定小電力無線の受信回路、受信した信号のデジタル変換回路、それら回路を作動させる電池電源、及び受信した信号が物品を代表する信号に一致したら作動する音、光及び／又は応答電波の発生手段を備えている。この通信タグには、予め物体と対応した認識番号を入力しておく。物体を探す時は、携帯無線機に探したい物体に取り付けた通信タグの認識番号を入力して、「探知ボタン」を押せば、１秒程度で、該当する通信タグがブザー音と光を発するので、「探知ボタン」を間欠的に押しながら家の中を一巡すれば、目的の物体を容易に見付けることができる。
【先行技術文献】
【特許文献】
【０００４】
【特許文献１】特開２０００−２０７６５７号公報
【特許文献２】特開２００３−０２３３８５号公報
【発明の概要】
【発明が解決しようとする課題】
【０００５】
上述したごとき従来の物品探索技術によれば、見失った物品をタグユニットの発する音によって探索することは可能であるが、タグユニットに設けられた電池の消耗により電池切れが生じて探索ができなくなる不都合が発生していた。
【０００６】
このような不都合を解消するため、タグユニットの電池電圧を検知して探索側の装置（携帯無線機側）に通知する技術も存在するが、これはタグユニット側の回路構成が複雑となり、このような電圧検知及び送信機構を設けることによって電池の消耗がより促進されてしまうおそれもあった。
【０００７】
従って本発明の目的は、タグユニット側の構成を複雑化させることなく簡易な構成で、タグの電池切れの通知が可能な物品探索システムを提供することにある。
【０００８】
本発明の他の目的は、タグユニットの電池の消耗を低減させることが可能な物品探索システムを提供することにある。
【課題を解決するための手段】
【０００９】
本発明によれば、物品探索システムは、携帯端末と、この携帯端末との間で無線通信可能であり、探索すべき少なくとも１つの物品内又は少なくとも１つの物品近傍にそれぞれ配置される少なくとも１つのタグユニットとを含んでいる。携帯端末は、少なくとも１つのタグユニットに対応する少なくとも１つの物品を登録する登録手段と、登録した少なくとも１つの物品を表示する表示手段と、表示した少なくとも１つの物品のうち選択された物品に対応するタグユニットとの間で通信を確立し、この対応するタグユニットに報知信号を発信する発信手段と、電池切れお知らせ手段とを備えている。少なくとも１つの物品のうち選択された物品に対応するタグユニットは、報知信号を受け取った際に報知音を発生する報知音発生手段を備えている。携帯端末の電池切れお知らせ手段は、登録した少なくとも１つの物品に対応する少なくとも１つのタグユニットに関して、報知音の発生回数に応じて定まる期間が、登録手段によって登録した時期から経過した際に、少なくとも１つのタグユニットに関する電池切れの通知を行うように構成されている。
【００１０】
電池切れお知らせ手段は携帯端末に設けられており、携帯端末内のみで電池切れの通知処理を行うように構成されており、タグユニットとは一切通信を行わない。従って、タグユニットには、電池切れを検知する機能もその電池切れを携帯端末に通知する通信機能も設ける必要がないため、タグユニット側の構成が非常に簡易となり、また、タグユニットの電池の消耗を低減化することができる。
【００１１】
電池切れお知らせ手段は、登録した少なくとも１つの物品に対応する少なくとも１つのタグユニットに関して、登録手段によって登録した時期からの経過時間が、所定期間を少なくとも報知音の発生回数で補正した閾値以上となった際に、少なくとも１つのタグユニットに関する電池切れの通知を行うように構成されていることも好ましい。
【００１２】
電池切れお知らせ手段は、登録した少なくとも１つの物品に対応する少なくとも１つのタグユニットに関して、登録手段によって登録した時期からの経過時間について所定期間を少なくとも報知音の発生回数で補正した経過時間が、所定の閾値以上となった際に、少なくとも１つのタグユニットに関する電池切れの通知を行うように構成されていることも好ましい。
【００１３】
電池切れお知らせ手段は、報知音の発生回数に応じて定まる期間が登録手段によって登録した時期から経過した際に、この少なくとも１つのタグユニットに対応する少なくとも１つの物品の表示を変更する手段であることが好ましい。
【００１４】
携帯端末と、少なくとも１つのタグユニットとは、Ｂｌｕｅｔｏｏｔｈ（登録商標）  Ｌｏｗ  Ｅｎｅｒｇｙ（ＢＬＥ）規格によって通信を確立するように構成されていることも好ましい。
【００１５】
この場合、携帯端末は、報知信号としてＢＬＥ規格の標準サービスである所定のコマンドを少なくとも１つのタグユニットに送信し、所定のコマンドを受信した少なくとも１つのタグユニットは報知音発生手段に所定信号を出力するように構成されていることがより好ましい。
【００１６】
タグユニットが少なくとも１つの物品とは独立したハウジング内に設けられており、このハウジングが少なくとも１つの物品に取り付けられているか、又はタグユニットが少なくとも１つの物品の内部に設けられていることも好ましい。
【発明の効果】
【００１７】
本発明によれば、タグユニットには電池切れを検知する機能もその電池切れを携帯端末に通知する通信機能も設ける必要がないため、タグユニット側の構成が非常に簡易となり、また、タグユニットの電池の消耗を低減化することができる。
【図面の簡単な説明】
【００１８】
【図１】本発明の一実施形態における物品探索システム全体の構成を概略的に示すブロック図である。
【図２】図１の物品探索システムにおける携帯端末の構成を概略的に示すブロック図である。
【図３】図１の物品探索システムにおけるタグユニットの構成を概略的に示すブロック図である。
【図４】図１の物品探索システムにおけるタグユニットの登録処理の内容を概略的に示すフローチャートである。
【図５】登録処理における携帯端末の画面表示例を示す図である。
【図６】登録処理における携帯端末の画面表示例を示す図である。
【図７】登録処理における携帯端末の画面表示例を示す図である。
【図８】登録処理における携帯端末の画面表示例を示す図である。
【図９】図１の物品探索システムにおけるタグユニット探索処理の内容を概略的に示すフローチャートである。
【図１０】探索処理における携帯端末の画面表示例を示す図である。
【図１１】探索処理における携帯端末の画面表示例を示す図である。
【図１２】探索処理における携帯端末の画面表示例を示す図である。
【図１３】探索処理における携帯端末の画面表示例を示す図である。
【図１４】図１の物品探索システムにおけるタグユニットの電池切れお知らせ処理の内容を概略的に示すフローチャートである。
【図１５】電池切れお知らせ処理における携帯端末の画面表示例を示す図である。
【発明を実施するための形態】
【００１９】
図１は本発明の一実施形態における物品探索システム全体の構成を概略的に示している。
【００２０】
同図に示すように、携帯タブレット、スマートフォン、モービルフォン、ＰＤＡ（携帯情報端末）、携帯パソコン、その他小型の携帯可能なコンピュータ、移動端末、及び携帯電話機等の携帯端末１０は、例えば鍵１１、リモコン１２、カバン１３及びノート１４等の物品に、紐、ワイヤ、鎖若しくはリング等を用いて取り付けるか又は接着して取り付けられたタグ１１ａ、１２ａ、１３ａ及び１４ａと、Ｂｌｕｅｔｏｏｔｈ（登録商標）  Ｌｏｗ  Ｅｎｅｒｇｙ（ＢＬＥ）によって、双方向通信が可能となっている。
【００２１】
図２はこの物品探索システムにおける携帯端末１０の構成を概略的に示している。
【００２２】
携帯端末１０は、ハードウェア上は、マルチコア及びキャッシュを含むＣＰＵ（セントラルプロセッシングユニット）、ＧＰＵ(グラフィックプロセッシングユニット)、メモリコントローラ、周辺デバイスコントローラ、及びディスプレイコントローラを一般的に有するアプリケーションプロセッサ１０ａと、アプリケーションプロセッサ１０ａに接続されており、メインメモリを構成しているＤＲＡＭ（ダイナミックランダムアクセスメモリ）１０ｂと、アプリケーションプロセッサ１０ａに接続されており、ＯＳ（オペレーションシステム）やアプリケーションプログラム（以下、アプリ）が格納されているフラッシュメモリ１０ｃと、アプリケーションプロセッサ１０ａに接続されているベースバンドプロセッサ１０ｄと、ベースバンドプロセッサ１０ｄに接続されている電話及び一般通信用の無線部１０ｅと、無線部１０ｅに接続されているアンテナ１０ｆと、アプリケーションプロセッサ１０ａ及びベースバンドプロセッサ１０ｄに接続されている電源・オーディオ用ＬＳＩ（半導体集積回路）チップ１０ｇと、電源・オーディオ用ＬＳＩチップ１０ｇに接続されているバッテリ１０ｈと、電源・オーディオ用ＬＳＩチップ１０ｇに接続されているスピーカ１０ｉと、アプリケーションプロセッサ１０ａに接続されているタッチパネル式のディスプレイ１０ｊと、アプリケーションプロセッサ１０ａに接続されているＢｌｕｅｔｏｏｔｈ送受信部１０ｋと、アプリケーションプロセッサ１０ａに接続されている、例えばカメラ、無線ＬＡＮ（ローカルエリアネットワーク）、ＧＰＳ（グローバルポジショニングシステム）及びセンサ類等からなる周辺デバイス１０ｌとを備えている。
【００２３】
アプリケーションプロセッサ１０ａに設けられているＣＰＵは、ＯＳやブートプログラム等の基本プログラムに従ってフラッシュメモリ１０ｃに記憶されているアプリを実行して本実施形態の処理を行うように構成されている。また、ＣＰＵは、このアプリケーションプロセッサ１０ａの動作を制御するように構成されている。
【００２４】
ＤＲＡＭ１０ｂはメインメモリとして使用され、フラッシュメモリ１０ｃから転送されたプログラムやデータを一時的に保存するように構成されている。また、このＤＲＡＭ１０ｂは、プログラム実行時の各種データが一時的に保存されるワークエリアとしても使用される。
【００２５】
Ｂｌｕｅｔｏｏｔｈ送受信部１０ｋは、アプリケーションプロセッサ１０ａの指示によりＢｌｕｅｔｏｏｔｈ４．０（ＢＬＥ）の双方向通信を行う送受信機構（図示なし）及びＢｌｕｅｔｏｏｔｈアンテナ（図示なし）を備えている。
【００２６】
このような構成の携帯端末１０において、アプリケーションプロセッサ１０ａは、プログラム起動時は、まず、ＤＲＡＭ１０ｄ内にプログラム記憶領域、データ記憶領域及びワークエリアを確保し、フラッシュメモリ１０ｃからプログラム及びデータを取り込んで、プログラム記憶領域及びデータ記憶領域に格納する。次いで、このプログラム記憶領域に格納されたプログラムに基づいてアプリケーション処理を実行する。なお、アプリケーションプロセッサ１０ａがフラッシュメモリ１０ｃからプログラム及びデータを直接的に取り込んで、このプログラムに基づいてアプリケーション処理を実行しても良い。
【００２７】
図３はこの物品探索システムにおけるタグユニットの構成を概略的に示している。
【００２８】
本実施形態においては、タグ１１ａ、１２ａ、１３ａ及び１４ａの各々の内部に図３に示すごときタグユニット３０が設けられている。なお、物品の種類によってはタグを設けることなく、タグユニット３０を物品内に直接的に配置しても良い。
【００２９】
タグユニット３０内には、ＢｌｕｅｔｏｏｔｈＩＣチップ３０ａ、Ｂｌｕｅｔｏｏｔｈアンテナ３０ｂ、ボタン電池等の電池３０ｃ、チャージポンプ昇圧回路３０ｄ及び圧電ブザー３０ｅが主に設けられており、携帯端末１０からＢｌｕｅｔｏｏｔｈを介して報知信号が送信された場合に、報知音であるブザー音を圧電ブザー３０ｅから発生させる。
【００３０】
このような構成の物品探索システムにおいて、携帯端末１０の探索アプリには、各タグユニットの登録処理、各タグユニットの探索処理及び各タグユニットの電池切れ通知処理を行うプログラムが含まれている。以下、これらの処理について詳細に説明する。
【００３１】
図４はこの探索アプリにおけるタグユニットの登録処理の内容を概略的に示している。
【００３２】
携帯端末１０において、探索アプリが起動されると、タグユニットの登録リストが画面上に表示される（ステップＳ１）。全てのタグユニットが未登録状態の場合、リスト５０ａを含む全てのリストが空白行となっている図５に示すような未登録リスト画面５０が表示される。
【００３３】
携帯端末１０のアプリは、この未登録リストのうちの１つが長押しされたかどうか判別しており（ステップＳ２）、長押しされたと判別した場合（ＹＥＳの場合）は、図６に示すタグユニット（ベルラツール）の登録の動作説明画面６０を表示する（ステップＳ３）。これにより、ユーザがこのタグユニットに電池を入れて、画面６０の接続開始ボタン６０ａを押すと、このタグユニットと携帯端末１０との間でペアリング動作が開始される。携帯端末１０のアプリは、接続開始ボタン６０ａが押されたかどうか判別し（ステップＳ４）、押されたと判別した場合（ＹＥＳの場合）はペアリングを開始すると共に、図７に示すような処理中の画面７０を表示する（ステップＳ５）。
【００３４】
次いで、携帯端末１０のアプリは、ペアリングが成功したか否かを判別し（ステップＳ６）、成功したと判別した場合（ＹＥＳの場合）は、図８に示すように、画面８０上にタグユニットに関する物品名及びアイコンの表示を行い、そのタグユニットに関して入力された物品名及び選択されたアイコン８０ａを登録し（ステップＳ７）、この登録処理を終了する。この登録は、各タグユニットについて行われ、そのタグユニットの物理アドレスであるＭＡＣ  ＩＤ、そのタグユニットが取り付けられた物品の名称、そのアイコンＩＤ、登録時刻、及びリスト上の表示位置等が紐付けされてＤＲＡＭ１０ｂの所定の位置に記憶される。
【００３５】
図９はこの探索アプリにおけるタグユニット探索処理の内容を概略的に示している。
【００３６】
携帯端末１０において、探索アプリが起動されると、図１０に示すように、登録されたタグユニットのアイコン及び物品名のリスト１００ａを示す画面１００を表示する（ステップＳ１１）。
【００３７】
次いで、携帯端末１０のアプリは、この登録リストのうちの１つの物品が押されたかどうか判別する（ステップＳ１２）。押されたと判別した場合（ＹＥＳの場合）は、その物品に関するタグユニットの物理アドレスであるＭＡＣ  ＩＤをＤＲＡＭ１０ｂから読み出し、このＭＡＣ  ＩＤに基づいてそのタグユニットに応答要求を行ってＢｌｕｅｔｏｏｔｈ通信を確立する（ステップＳ１３）。図１１はこの場合に表示される画面１１０を示している。なお、同図において１１０ａはこの動作のキャンセルボタンである。
【００３８】
次いで、携帯端末１０のアプリは、このタグユニットにコマンドを送りブザーを鳴らす（ステップＳ１４）。具体的には、Ｂｌｕｅｔｏｏｔｈ通信のＢＬＥ標準プロファイルであるＧＡＴＴ  Ｉｍｍｅｄｉａｔｅ  Ａｌａｒｔコマンドを「Ａｌａｒｔ  Ｌｅｖｅｌ  Ｈｉｇｈ」パラメータと共に発行し、そのタグユニットのＢｌｕｅｔｏｏｔｈＩＣチップ３０ａからチャージポンプ昇圧回路３０ｄへ所定周波数の報知音信号を所定時間（例えば約５〜１５秒間）出力し、圧電ブザー３０ｅをその間駆動することによりブザー音（報知音）を発生する。図１２はこの場合に表示される画面１２０を示している。
【００３９】
次いで、携帯端末１０のアプリは、このブザー音をもう一度鳴らすボタン１３０ａが押されたかどうか判別する（ステップＳ１５）。携帯端末１０には、図１２の画面１２０に続いて図１３に示す画面１３０が表示される。この画面１３０は、タグユニットに取り付けられた物品が見つかったかどうかをユーザに聞くものである。物品が見つからず、ユーザがもう一度鳴らすボタン１３０ａを押したと判別した場合（ＹＥＳの場合）は、アプリはステップＳ１４の処理を再度実行する。これにより、タグユニットの圧電ブザー３０ｅからブザー音が所定時間（例えば約５〜１５秒間）の間、再度発生する。もう一度鳴らすボタン１３０ａが押されなかったと判別した場合（ＮＯの場合）は、この探索処理を終了する。
【００４０】
図１４はこの探索アプリにおけるタグユニットの電池切れお知らせ処理の内容を概略的に示している。携帯端末１０のアプリは、タグユニットが登録されると、この電池切れお知らせ処理を開始する。
【００４１】
まず、各タグユニットについて、登録時から現在までの経過時間を計算する（ステップＳ２１）。
【００４２】
一方、そのタグユニットに関して、電池切れに関する閾値の補正を行う（ステップＳ２２）。この補正は、環境や負荷等に応じた補正、及び登録時から現在までにブザーを鳴らした回数に応じた補正を行う。具体的には、例えば、基準時間ＴＢから環境や負荷等に応じた補正値ＴＥＣ及びブザーを鳴らした回数Ｎに応じた補正値ＴＮＣを減算する補正を行う。即ち、補正した閾値はＴＢ−ＴＥＣ−ＴＮＣとなる。単なる一例であるがＴＢ＝３６５（日）、ＴＥＣ＝６０（日）、ＴＮＣ＝０．１（日）×Ｎとすると、補正した閾値は３６５−６０−０．１×Ｎ（日）である。
【００４３】
次いで、計算した経過時間が補正された閾値以上であるか否かを判別する（ステップＳ２３）。閾値未満であると判別した場合（ＮＯの場合）は、ステップＳ２１へ戻り、ステップＳ２１〜Ｓ２３の処理を繰り返す。閾値以上であると判別した場合（ＹＥＳの場合）は、そのタグユニットに関して電池切れの警告の通知を行う（ステップＳ２４）。例えば、図１５に示すように、そのタグユニットに関する物品（図示の例では仕事用のサイフ）リスト１５０ａの背景色を変化させたり点滅させ、さらにメッセージウィンドウにその旨の警告を行った画面１５０を携帯端末１０に表示することにより通知する。
【００４４】
次いで、登録された全てのタグユニットに関して電池切れの上述の処理を行ったか否かを判別する（ステップＳ２５）。全タグユニットに関して処理を行っていないと判別した場合（ＮＯの場合）は、ステップＳ２１へ戻り、ステップＳ２１〜Ｓ２５の処理を繰り返す。全タグユニットに関して処理を行ったと判別した場合（ＹＥＳの場合）は、この電池切れお知らせ処理を終了する。
【００４５】
電池切れの通知を受けたユーザは、その物品リストを長押しして登録を解除し、対応するタグユニットの電池交換を行って、そのタグユニットを再登録する。
【００４６】
なお、図１４に基づく上述の電池切れお知らせ処理では、電池切れに関する閾値を環境や負荷等及びブザーを鳴らした回数に応じて補正しているが、閾値を補正することなく、計算した経過時間を環境や負荷等及びブザーを鳴らした回数に応じて補正しても良いことは明らかである。
【００４７】
以上詳細に説明したように、本実施形態によれば、携帯端末１０のアプリ側のみでタグユニットの電池切れの通知処理を行うように構成されており、その際にタグユニットとは一切通信を行わない。従って、タグユニットには、電池切れを検知する機能もその電池切れを携帯端末１０に通知する通信機能も設ける必要がないため、タグユニット側の回路構成が非常に簡易となり、また、タグユニットの電池の消耗を低減化することができる。
【００４８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４９】
１０  携帯端末
１０ａ  アプリケーションプロセッサ
１０ｂ  ＤＲＡＭ
１０ｃ  フラッシュメモリ
１０ｄ  ベースバンドプロセッサ
１０ｅ  無線部
１０ｆ  アンテナ
１０ｇ  電源・オーディオ用ＬＳＩチップ
１０ｈ  バッテリ
１０ｉ  スピーカ
１０ｊ  タッチパネル式のディスプレイ
１０ｋ  Ｂｌｕｅｔｏｏｔｈ送受信部
１０ｌ  周辺デバイス
１１  鍵
１１ａ、１２ａ、１３ａ、１４ａ  タグ
１２  リモコン
１３  カバン
１４  ノート
３０  タグユニット
３０ａ  ＢｌｕｅｔｏｏｔｈＩＣチップ
３０ｂ  Ｂｌｕｅｔｏｏｔｈアンテナ
３０ｃ  ボタン電池等の電池
３０ｄ  チャージポンプ昇圧回路
３０ｅ  圧電ブザー
５０  未登録リスト画面
５０ａ、１００ａ、１５０ａ  リスト
６０  動作説明画面
６０ａ  接続開始ボタン
７０、８０、１００、１１０、１２０、１３０、１５０  画面
８０ａ  アイコン
１１０  キャンセルボタン
１３０ａ  もう一度鳴らすボタン
【図１】
2017097524.tif 000002
【図２】
2017097524.tif 000003
【図３】
2017097524.tif 000004
【図４】
2017097524.tif 000005
【図５】
2017097524.tif 000006
【図６】
2017097524.tif 000007
【図７】
2017097524.tif 000008
【図８】
2017097524.tif 000009
【図９】
2017097524.tif 000010
【図１０】
2017097524.tif 000011
【図１１】
2017097524.tif 000012
【図１２】
2017097524.tif 000013
【図１３】
2017097524.tif 000014
【図１４】
2017097524.tif 000015
【図１５】
2017097524.tif 000016